Podtech/llm-jp-corpus-v4-ja_patent huggingface dataset:
(57)【要約】      （修正有）【課題】鍬板に対して別に製造したヒツを溶着する鍬において、鍬板とヒツの接合強度を向上させた丈夫な鍬を提供する。【解決手段】鍬板１の上面部に溶接したヒツ２に、柄４の先端部を挿入することによって鍬板１に柄４を固定する鍬に関する。この鍬において、鍬板１の上面部に凹所３を形成し、この凹所３にヒツ２を嵌挿し、凹所３の内周面に沿ってヒツ２と鍬板１を溶接する。これにより、溶接箇所は、ヒツ２の底面３ａと左右の側面３ｂ、３ｃとでコ字状に溶接することになるため、溶接の接合強度を向上させることができる。【選択図】図２
0003155359.tif 000002
【実用新案登録請求の範囲】
【請求項１】
鍬板の上面部に溶接したヒツに、柄の先端部を挿入することによって鍬板に柄を固定する鍬において、鍬板の上面部に凹所を形成し、該凹所にヒツを嵌挿して凹所の内周面に沿ってヒツと鍬板を溶接したことを特徴とする鍬。
【考案の詳細な説明】
【技術分野】
【０００１】
本考案は、主として農耕用の鍬であって、鍬板と柄を挿入固定するためのヒツ部分の構造に関する考案である。
【背景技術】
【０００２】
鍬には、鍬板の上面部分に短筒状のヒツを形成し、このヒツに木柄を装着するものが、広く知られている。鍬板の形状は、平板状の平鍬や三本爪や四本爪の備中鍬などが知られているが、ヒツ部分の構造は共通である。
【先行技術文献】
【特許文献】
【０００３】
【特許文献１】特開２００２−１９９８０１号公報
【考案の概要】
【考案が解決しようとする課題】
【０００４】
従来の鍬は、短筒状に製造したヒツを、鍬板の上面に溶接によって固定するのが一般的である。外観上、特許文献１の図１、すなわち図６に示すように形成されている。
鍬は、ヒツに長寸法の柄の先端を挿入し、柄を持ってテコとして土起し作業などに使用する。そのため、図４に矢印で示すように鍬板とヒツの間に大きな力が作用する。ところが従来の鍬では、図６に示すようにヒツの一面(下面)が鍬板の上面に溶接されているだけであるため、溶接部分の強度が不足するという欠点があった。
【０００５】
上記、従来技術の欠点に鑑み、本考案は鍬板のヒツの接合部分が折曲されたり、折損することがないように、より強固な溶接状態となる構造を実現することを目的とするものである。
【考案の開示】
【課題を解決するための手段】
【０００６】
請求項１記載の本考案は、鍬板１の上面部に溶接したヒツ２に、柄４の先端部を挿入することによって鍬板１に柄４を固定する鍬に関する。この鍬において、鍬板１の上面部に凹所３を形成し、この凹所３にヒツ２を嵌挿し、凹所３の内周面に沿ってヒツ２と鍬板１を溶接することである。
【考案の効果】
【０００７】
請求項１記載の本考案によれば、凹所に挿入した状態で凹所の周縁に沿って鍬板１を溶接する。そのため、従来の鍬のように底面だけでなく、底面と左右の側面の少なくとも一部をコ字状に溶接するため、大きな溶接強度を実現し、従来の鍬に比較して格段に丈夫な鍬を実現することができる。
【図面の簡単な説明】
【０００８】
【図１】図１は本考案に係る鍬を備中鍬に実施した状態の斜視図、
【図２】図２は図１に示す鍬であって、鍬板とヒツを分離させた状態の斜視図、
【図３】図３は、図１に示す鍬の正面図、
【図４】図４は図３のIV−IV線断面図、
【図５】図５は本考案を平鍬として実施した正面図、
【図６】図６は従来の鍬の正面図。
【考案を実施するための最良の形態】
【０００９】
以下、本考案に係る鍬の実施形態を添付の図面に基づいて説明する。
図１ないし図４は、本考案を備中鍬に応用した実施形態を示すもので、図２は図１に示す鍬であって、鍬板とヒツを分離させた状態の斜視図、図３は正面図、図４は図２のIII−III線断面図である。
【００１０】
鍬は、鍛造などによって目的、用途に応じた形状に製造される鍬板１と、別の板材の折曲加工によって筒状、主として角筒状に形成されるヒツ２とで構成され、鍬板１の上辺部分にヒツ２を溶接によって接合する。
【００１１】
ヒツ２を鍬板１に溶接するに際して、鍬板１の上辺部分にヒツ２の一部が嵌まり込む形状、具体的にはコ字状の凹所３を形成しておく。そして、鍬板１に形成した凹所３にヒツ２を嵌挿させた状態で凹所の周縁、すなわちヒツ２の外周面が接する部分を溶接する。このようにして溶接される範囲は、ヒツ２の一辺だけでなく一辺(底辺)と少なくとも左右両側面の一部が含まれる。したがって、単に溶接される寸法が長いだけでなく、コ字状に接合されるため、溶接による接合強度が向上する。
【００１２】
このように、鍬板１の上辺部に形成したヒツ２に柄４の先端を嵌挿、固定することによって柄付きの鍬として完成し、使用に供する。
この鍬における鍬板１とヒツ２の溶接部分は、凹所３の底辺3aと、凹所３の側面3b、3cとなる。そして、鍬板１とヒツ２間に、図４に矢印で示す曲げモーメントが作用した場合、幅方向の接合面となる底辺3a部分の接合部分には、接合部分を支点とする曲げモーメントが作用するが、縦方向の接合面となる側面3b、3cには、接合面の長手方向に曲げモーメントが作用し、より大きな接合強度を発揮する。
【００１３】
柄４を横方向に動かした場合に、鍬板１とヒツ２の間に作用する曲げモーメントは、前記場合とは逆に底辺3a部分の接合部分が、溶接面の長手方向で幅方向の曲げモーメントを支え、側面3b、3cのいずれか一方もしくは、3b、3cの中間位置を支点として曲げモーメントを支える。このように、本考案では、鍬板１に形成した凹所において、コ字状の三方において溶接されるため、従来のヒツ２の底辺でのみ溶接されるものに比較して、格段に接合強度が向上するものである。
【００１４】
図１ないし図４に示す実施形態は、本考案を備中鍬に応用したものであるが、図５は本考案を平鍬に応用した実施形態を示している。図３と図５の対比によっても明らかなように、両者の違いは鍬板１の具体的形状のみであって、鍬板１の上辺部分に凹所３を形成し、この凹所３にヒツ２を嵌挿して溶着することは共通の技術的事項である。
【符号の説明】
【００１５】
１…鍬板、  ２…ヒツ、  ３…凹所、  3a…底面、  3b、3c…側面、  ４…柄。
【図１】
0003155359.tif 000003
【図２】
0003155359.tif 000004
【図３】
0003155359.tif 000005
【図４】
0003155359.tif 000006
【図５】
0003155359.tif 000007
【図６】
0003155359.tif 000008
(57)【要約】【課題】使用後に水洗いを繰返しても穂先の弾力性や復元性が損なわれることがなく、長期の使用が可能な毛筆を提供する。【解決手段】木製又は硬質樹脂製の六角断面の柄１と、該柄１の一端に捩じ込んで取付けられる中空状の截頭円錐形をなす硬質樹脂製又は金属製のカバー３と、該カバー３に挿入され、先端部より中間部までカバー３より突出させて根元側部分を前記カバー３に接着した穂４よりなり、該穂４は、毛全体の重量の８０〜９５％に相当する中心部の毛がポリブチレンテレフタレートＰＢＴ樹脂よりなる腰の強い毛９〜９．５割と山羊又は馬の毛０．５〜１割の割合で配合される混毛よりなり、周辺部の毛は山羊又は馬の毛よりなっている。【選択図】図１
0003155358.tif 000002
【実用新案登録請求の範囲】
【請求項１】
柄と、該柄の一端に差し込んで固定される穂とからなる毛筆において、穂は中心部を腰のある化学繊維よりなる毛を主とし、周辺部を獣毛とした構成を有し、穂の中間部より根元側部分を剛性の大なるカバーで覆って保形したことを特徴とする毛筆。
【請求項２】
毛全体の重量の８０〜９５％を占める穂中心部は、ポリブチレンテレフタレート樹脂よりなる毛９〜９．５割、獣毛０．５〜１割の割合に配合された混毛であることを特徴とする請求項１記載の毛筆。
【考案の詳細な説明】
【技術分野】
【０００１】
本考案は、毛筆に関する。
【背景技術】
【０００２】
毛筆は一般に、柄と該柄の一端に差し込んで固定される穂からなっており、穂は、獣毛又は化学繊維よりなって全体が糊で固めて整形されている。
【０００３】
使用時においては、小筆の場合ことに穂先をほぐして、硯の墨汁に含ませ、硯をなでて墨をある程度落としたのち、文字等を書いている。使用後は墨の除去のため、通常水洗いされる。
【考案の概要】
【考案が解決しようとする課題】
【０００４】
使用後、墨の除去のため水洗いを繰返すと、やがては穂先以外の糊で固めた部分まで糊が除去されて次第にほぐされ、穂先がばらけて膨らみ、弾力性がなくなって、復元性が低下し、文字等が書きにくくなる。
【０００５】
本考案は、水洗いをしても穂先の弾力性や復元性が損なわれることがない毛筆を提供することを目的とする。
【課題を解決するための手段】
【０００６】
請求項１に係わる考案は、柄と、該柄の一端に差し込んで固定される穂とからなる毛筆において、穂は中心部を腰のある化学繊維よりなる毛、好ましくはポリブチレンテレフタレート樹脂ＰＢＴよりなる毛を主とし、周辺部を獣毛とした構成を有し、穂の中間部より根元側部分を剛性の大なるカバーで覆って保形したことを特徴とする。
【０００７】
請求項２に係わる考案は、請求項１に係わる考案において、毛全体の重量の８０〜９５％を占める穂中心部は、ポリブチレンテレフタレート樹脂よりなる毛９〜９．５割、獣毛０．５〜１割の割合に配合された混毛であることを特徴とする。
【考案の効果】
【０００８】
請求項１に係わる考案によると、穂の中心部が腰のある化学繊維よりなる毛で、形状記憶性を有することにより、水洗いしても復元性に富み、また穂の中間部より根元側がカバーで覆われていることにより、水洗いの繰返しによりバラける穂がカバーより突出する穂先部分となり、全体がバラけることはないため、従来の毛筆に比べ、長期の使用が可能になる。
【０００９】
請求項２に係わる考案においては、請求項１に係わる考案の効果がより一層向上する。
【図面の簡単な説明】
【００１０】
【図１】本考案に係わる毛筆の部分断面平面図。
【図２】同毛筆の分解斜視図。
【考案を実施するための形態】
【００１１】
以下、本考案の実施形態の毛筆について図面により説明する。
図１は、小筆を示すもので、図２に示すように木製又は硬質樹脂製の六角断面をなし、一端にネジ部１ａを突設した柄１と、截頭円錐形の中空状をなし、内側下側部に柄１の前記ネジ部１ａに捩じ込まれるネジ部を備えた硬質樹脂又は金属製のカバー３と、該カバー３に下側から挿入され、中間部より先端側部分、好ましくは先端より全長の１／２程度の長さの部分を前記カバー３より上方に突出させ、根元部分を前記カバー３に接着した穂４とよりなり、穂４は、毛全体の重量の８０〜９５％に相当する中心部の毛がポリブチレンテレフタレートＰＢＴ樹脂よりなる腰の強い毛９〜９．５割と、獣毛、例えば山羊又は馬の毛０．５〜１割の場合で配合される混毛よりなり、周辺部の毛が獣毛、例えば山羊又は馬の毛よりなっている。
【００１２】
本実施形態の小筆によると、穂の大部分でカバーで覆われることによりばらけ難いうえ、穂の大部分を占めるＰＢＴ樹脂よりなる毛が腰があって形状記憶性を有し、復元性に富むため、穂がばらけても元の形状に復元し易く、従来の毛筆に比べ長期の使用が可能になる。また柄１が六角断面をなすため、持ち易いうえ、持って文字等を書くときに滑りにくく、文字等が書き易くなる。
【００１３】
図示する実施形態は小筆に関するものであるが、小筆以外の筆にも適用可能で、同様の効果をもたらすことができる。
【符号の説明】
【００１４】
１・・柄
１ａ・・ネジ部
３・・カバー
４・・穂
【図１】
0003155358.tif 000003
【図２】
0003155358.tif 000004
(57)【要約】      （修正有）【課題】遮光の調整が簡便に出来、移動が容易に行える園芸用移動型簡易開閉式遮光カーテン装置を提供する。【解決手段】支柱Ａとなる管材２本を同角度で折り曲げ、重しＤに支柱を挿入することにより自立し、２本の支柱Ａをつなぐように水平方向に横ざんＢを等間隔に配し固定、支柱の上端部に固定された横ざんにはＯ型リングを通しておき寒冷紗Ｃと等間隔で連結させ片流れ屋根の形状を有する。【選択図】図１
0003155166.tif 000002
【実用新案登録請求の範囲】
【請求項１】
形状は屋根型であり支柱に対し水平方向に横ざんをビス固定し支柱端部の横ざんには開閉用の金具を通しその金具と寒冷紗を連結させることにより簡便に開閉動作を行い遮光の調整を可能にする
【請求項２】
支柱下部のコンクリートには予め支柱挿入用の穴が開いておりその穴に支柱を挿入することにより固定・取付が簡略化され取扱いも容易になる
【考案の詳細な説明】
【技術分野】
【０００１】家庭園芸・家庭菜園
【背景技術】
【０００２】従来は木や管材を用い寒冷紗を取付、遮光していた
【先行技術文献】
【特許文献】
【０００３】
【特許文献１】実用新案公開５−４３８４２  名称  園芸用ハウス
【特許文献２】特許公開  ２００５−５８０４６  名称  遮光装置
【考案の概要】
【考案が解決しようとする課題】
【０００４】従来はサイズが大きく移動が困難など家庭園芸や家庭菜園には適していなかった
【課題を解決するための手段】
【０００５】支柱端部の横ざんに金具を通しそこに寒冷紗を連結させることで開閉の動作が簡便に出来るようになる
【考案の効果】
【０００６】遮光の調整が簡便に出来、移動も容易に行える
【図面の簡単な説明】
【０００７】
【図１】寒冷紗を開いた時
【図２】寒冷紗を閉じた時
【考案を実施するための形態】
【０００８】直射日光を避ける植物や花、野菜などの育成時に天候状況により図１や図２のように開閉して遮光調整を行う
支柱や横ざんの材質は鋼材・アルミ材に限らずステンレス材や鉄材なども考えられる
横ざんに関しては形状が丸型でなくともＬ型でも動作状況・固定状況に支障が無い為可能
【符号の説明】
【０００９】Ａ＝支柱                Ｂ＝横ざん
Ｃ＝寒冷紗              Ｄ＝コンクリートの重し
Ｅ＝ステンレスリン      Ｆ＝固定用ステンレスビス
【図１】
0003155166.tif 000003
【図２】
0003155166.tif 000004
【手続補正書】
【提出日】平成21年8月21日(2009.8.21)
【手続補正１】
【補正対象書類名】実用新案登録請求の範囲
【補正対象項目名】全文
【補正方法】変更
【補正の内容】
【実用新案登録請求の範囲】
【請求項１】
支柱Ａとなる管材２本を同角度で折り曲げ、重しＤに支柱を挿入することにより自立し、２本の支柱Ａをつなぐように水平方向に横ざんＢを等間隔に配し固定、支柱の上端部に固定された横ざんにはＯ型リングを通しておき寒冷紗Ｃと等間隔で連結させ片流れ屋根の形状を有する開閉式遮光カーテン装置
【請求項２】
重しＤは独立していて予め支柱挿入用の穿孔がされてあり移動や固定を容易に行える構造を有する請求項１に記載の開閉式遮光カーテン装置
【手続補正２】
【補正対象書類名】明細書
【補正対象項目名】全文
【補正方法】変更
【補正の内容】
【考案の詳細な説明】
【考案の詳細な説明】
【０００１】本考案は家庭園芸や家庭菜園で簡便に寒冷紗の開閉動作が行え、遮光調整を可能にし、かつ移動も独立した重しを用いることで取付、固定が簡略化され取り扱いも容易になる。
【背景技術】
【０００２】従来はビニルハウスや寒冷紗、よしずなどで遮光していた。しかし、一度設置すると移動が困難であったり、遮光の開閉動作も容易にできなかった。
【先行技術文献】
【特許文献】
【０００３】
【特許文献１】実用新案公開  ５−４３８４２  名称  園芸用ハウス
【特許文献２】特許公開  ２００５−５８０４６  名称  遮光装置
【考案の概要】
【考案が解決しようとする課題】
【０００４】従来はサイズが大きく移動が困難であったり開閉動作が容易に行えず家庭園芸や家庭菜園には適していなかった
【課題を解決するための手段】
【０００５】支柱上端部の横ざんにＯ型リング金具を通し寒冷紗と連結させることで開閉の動作が簡便にでき、移動も独立した重しを用いることで容易に行えるようになる
【考案の効果】
【０００６】遮光の調整が簡便に出来、移動も容易に行えるので季節、気象条件に合わせて花や野菜の育成を楽しむことが出来る
【図面の簡単な説明】
【０００７】
【図１】寒冷紗を開いた時
【図２】寒冷紗を閉じた時
【考案を実施するための形態】
【０００８】直射日光を避ける植物や花、野菜などの育成時に天候状況により図１や図２のように寒冷紗を開閉して遮光調整を行う
支柱や横ざんの材質は鋼材・アルミ材に限らずステンレス材や鉄材なども考えられる。横ざんに関しては形状が丸型でなくともＬ型でも動作状況・固定状況に支障がない為可能
【符号の説明】
【０００９】Ａ＝支柱                  Ｂ＝横ざん
Ｃ＝寒冷紗                Ｄ＝コンクリートの重し
Ｅ＝ステンレスリング      Ｆ＝固定用のステンレスビス
(57)【要約】      （修正有）【課題】一般洋式兼用便器の正面手前の汚れを、衣類が触れるのを防ぐためのカバーを提供する。【解決手段】洋式の兼用便器は、男性が立小便をするとどうしても、便器の正面を汚すことがある。その後腰掛をして使用すると薄着の場合は、便座２でカバーしているが厚着の場合は便座２より下に下り便器に触れるので汚れがあれば、衣類で拭いているのである。そこで触れない様に思いついたのが、保護カバー７であり上からはめ込み、洗う時に筒単に外せる様にした、これを付けておけば、安心して使用出来る。【選択図】図５
0003155164.tif 000002
【実用新案登録請求の範囲】
【請求項１】
便器と蓋付きの便座からなる、洋式便器において便座前方部分に着脱自在に、衣類の汚れを防ぐためのカバーを嵌め込み、このカバーを一体的に設けた、スカート部分が便器の前方部分を覆った特徴とする、便器保護カバー。
【考案の詳細な説明】
【技術分野】
【０００１】本考案は一般洋式大小兼用便器を、男性が立小便に使用すると、正面手前を汚すことが多い、それを知らずに腰掛をして使用薄着の場合は、便座で便器に触れることない、厚着の時は便器に触れて汚れを拭き取っている、そこでカバーを付けること考案した。
【背景の技術】
【０００２】一般使用している便座は、薄着の時は便座で便器に触れなくてよいが、厚着の時は便器に触れ汚れを拭き取つている。
【考案が解決しようとする課題】
【０００３】衣類の汚れを、防止するのは、便座にカバーを付けたら、便器に衣類が触れずして、それだけで解決する。
【課題を解決する手段】
【０００４】本考案は男女兼用の便器の場合のみであるが、男性の小の場合は、よく便器の正面手前を汚す人があると思われる。腰掛をして使用の場合は、厚着の時はどうしても衣類が便器に触れるので、衣類で便器を拭いてしまう。本考案は触れない様にカバーを付けたものである。
【考案の効果】
【０００５】便器に衣類が触れなければ汚れない、そこでカバーを付けたら、汚れを防止するし、又掃除をする時は外して洗うことも出来筒単な物である、これさえはめ込ば安心して他のトイレにも使用出来る
【図面の簡単な説明】
【０００６】
【図１】便器本体側面図。
【図２】使用している本体側面図。
【図３】便器正面汚れを示す。
【図４】便座に本考案カバーを付けた便器正面図。
【図５】本考案カバを付けた便座平面図。
【図６】便器本体断面拡大図
【図７】本考案カバーの断面拡大図
【考案を実施するための形態】
【０００７】便座２に上からはめ込む筒単なカバーであり、軽くて丈夫で安価で出来る方が望ましく、外して水で洗うことも出来る、又加工のしやすい材料を選ぶ。
【符号の説明】
【０００８】１  便器本体
２  便座
３  便器の蓋
４  水槽
５  便器の正面手前が汚れを示す
６  使用中の衣類が汚れに触れている
７  汚れの防止カバー
７ａ  スカート部
【図１】
0003155164.tif 000003
【図２】
0003155164.tif 000004
【図３】
0003155164.tif 000005
【図４】
0003155164.tif 000006
【図５】
0003155164.tif 000007
【図６】
0003155164.tif 000008
【図７】
0003155164.tif 000009
【手続補正書】
【提出日】平成21年8月24日(2009.8.24)
【手続補正１】
【補正対象書類名】実用新案登録請求の範囲
【補正対象項目名】全文
【補正方法】変更
【補正の内容】
【実用新案登録請求の範囲】
【請求項１】
便器と蓋付きの便座からなる洋式便器において、便座前方部分に着座自在に衣類の汚れを防ぐためのカバーを嵌め込み、このカバーと一体的にスカート部分を設け、このスカート部分が便器の前方部分を覆ったことを特徴とする便器保護カバー。
(57)【要約】      （修正有）【課題】塔頂へ抜けるガスを吸収及び凝縮させることにより、塔内の圧力低下及びナフサの収量を上げる蒸留塔ガス吸収装置を提供する。【解決手段】蒸留塔内塔頂部にナフサのミストシャワーを設置する。蒸留塔ガス吸収装置を設置する事により従来のガスの発生も抑えられナフサの収量も増え、塔頂ガス下流のプラントの運転ロード低下によるコストダウン（運転コスト）はもとより蒸留塔本体の安全性も向上する。【選択図】図−１
0003155169.tif 000002
【実用新案登録請求の範囲】
【請求項１】
原油蒸留塔の内部塔頂付近にミストシャワーを設置し冷たいナフサを降らせるこれにより塔頂より出るはずのガスがナフサのミストにより凝縮又は吸収されタワー内の圧力低下に役立つのと同時にナフサ留分の収率アップにつながる蒸留塔ガス吸収装置となる。
【考案の詳細な説明】
【技術分野】
【０００１】本発明は、蒸留塔塔頂内部にミストシャワーを設置しタワー内部に冷却したナフサのミストシャワーを全面的に降らして塔頂へ抜けるガスを吸収及び凝縮させるこれにより塔内の圧力低下はもちろんナフサの収量も上げる。
【背景技術】
【０００２】従来の方法では、塔頂ガスの量が、多い時に安全装置の安全弁が、吹いたり蒸留塔内の運転に支障をきたす圧力上昇も見られた又大型容器だけに耐圧というレベルでも懸念される部分も多かった。
【考案の概要】
【考案が解決しようとする課題】［安全性の向上、塔頂ガスの下流プラントの運転コスト低下、高付加価値のナフサ収量のＵＰ。］
【課題を解決するための手段】［蒸留塔内塔頂部にナフサのミスドシャワーを設置する］
図−１、２参照
【考案の効果】［蒸留塔ガス吸収装置を設置する事により従来のガスの発生も抑えられナフサの収量も増え、塔頂ガス下流のプラントの運転ロード低下によるコストダウン（運転コスト）はもとより蒸留塔本体の安全性も向上する。］
【図面の簡単な説明】［蒸留塔内部にミストシャワーを設置した平面図とミストシャワーを下部から見た平面図である］【図−１】蒸留塔内の塔頂部にガス吸収用ミストシャワーを設置した平面図である。
【図−２】蒸留塔内のミストシャワーを下から見た平面図である。
【考案を実施するための形態】
［蒸留塔内塔頂部にナフサのガス吸収用ミストシャワーを設置］
【産業上の利用可能性】［安全性の向上、低コストが、見込まれナフサの収量も増加装置自体の設備も安価で利用可能性は高い］
【図−１】
0003155169.tif 000003
【図−２】
0003155169.tif 000004
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
原油蒸留塔の内部塔頂付近に、冷たいナフサを降らせるためのミストシャワーを、設置したことを特徴とする蒸留塔ガス吸収装置。
(57)【要約】      （修正有）【課題】ヘアピンとヘアバンドの両方の役割を果たせる髪止め具を提供する。【解決手段】ヘアバンドの両端にヘアピンを設ける。ヘアピンの数は、単ペア又は複ペアとし、形状は如何なる形態のものでも良い。【選択図】図１
0003155165.tif 000002
【実用新案登録請求の範囲】
【請求項１】
図１のように、両端はヘアビンＡと中間部バンドＢを繋いで構成することが特徴とするヘアバンドです。
【請求項２】
前述請求項１に記載するヘアビンＡの数は単ペア又は複ペア（図２）、形状はピン状、クリップ状、櫛状などいかなる形態の物であってもよいとの特徴を持つ請求項１に記載するヘアバンドです。
【請求項３】
前述請求項１に記載する中間部バンドＢは弾力性のあるゴム、布、レース、編み物、樹脂またはそれらの組み合わせ、又は伸縮するしくみを設けたバンド状で作られたとの特徴を持つ請求項１に記載するヘアバンドです。
【請求項４】
前述請求項１と請求項３に記載する中間部バンドＢにヘアアクセサリがくっ付いたり、ぶら下ったり又はヘアアクセサリがＢの一部であったりすることができる（図２）特徴を持つ請求項１に記載するヘアバンドです。
【考案の詳細な説明】
【技術分野】
【０００１】頭髪の乱れ防止及び頭髪を飾る髪止め具に関するものである。
【背景技術】
【０００２】従来頭髪乱れ防止にはヘアピンや軟質ヘアバンドやカチューシャやバンダナなどがそれぞれありました。
【考案の概要】
本考案は両端にヘアピンと中間にヘアバンドを繋いでヘアビンとヘアバンド両方の役割を果たせる髪止め具に関するものです。
【考案が解決しようとする課題】女性が運動や家事や勉強などをするとき、髪の毛が乱れたり、前側に垂れたりするとイライラします。本考案はこのような髪乱れや垂らすなどの不便を解消しようとします。【０００３】従来頭髪乱れ防止にはヘアピンや軟質ヘアバンドやカチューシャやバンダナなどがそれぞれありました。【０００４】ヘアピンは止める範囲が少ないし、ずれやすいです。多くの人は複数ヘアピンを使って髪を止めます、だがピンがずれやすいので常に手直しの手間がかかります。【０００５】軟質ヘアバンドもカチューシャもバンダナも上下方向に滑りやすいし、長時間使用すると頭部に痛みや不快感を覚える。更に頭髪に圧迫した跡が残りますので、使用した後、ヘアスタイルが変形してしまいます。
【課題を解決するための手段】
【０００６】本考案［請求項１］と［請求項２］に記載するヘアピンＡに穴や溝を開き（もともと穴や溝が開いてある仕様のヘアピンならそのまま利用しでもよい）、［請求項１］と［請求項３］に記載するバンドＢはその穴や溝を利用して、ヘアピンＡと結ぶ又は縫い付ける又は粘着などの方法により繋いで、ヘアピンとヘアバンド両方の役割を果たせる本考案の髪止め具を作成して使用する。
【考案の効果】
【０００７】本考案の髪止め具はピンで髪を止めて、ピン間のバンドで髪を押さえ、従来ピンのみ使用するより髪の止める範囲が大きい。【０００８】本考案の髪止め具を使用するより、従来のヘアバンドやバンダナを使う時のキツイ感や圧迫感から開放されます。【０００９】本考案の［請求項１］と［請求項２］に記載するヘアピンＡが［請求項１］と［請求項３］に記載するバンドＢに引っ張られて，容易には動けないため、ずれにくくなります、長時間使っても安定な状態に保つことができます。【００１０】従来のヘアバンドやカチューシャやバンダナなどの取り付けられる範囲が前髪から頭頂までに比べ、本考案の髪止め具はピンの止まる位置により、前頭部から後頭部まで幅広い範囲内で取り付けることができます。【００１１】本考案の髪止め具はデザインより髪飾りの機能も果たせることができます。
【図面の簡単な説明】
【００１２】
【図１】本考案の髪止め具一例を示す正面図です。両端ヘアピン数は単ペアです。
【図２】本考案の髪止め具一例を示す正面図です。両端ヘアピン数は双ペアです。中間バンドにはヘアアクセサリがあります。
【符号の説明】
【００１３】Ａ  ヘアピン
Ｂ  中間部バンド
【図１】
0003155165.tif 000003
【図２】
0003155165.tif 000004
【手続補正書】
【提出日】平成21年8月16日(2009.8.16)
【手続補正２】
【補正対象書類名】実用新案登録請求の範囲
【補正対象項目名】全文
【補正方法】変更
【補正の内容】
【実用新案登録請求の範囲】
【請求項１】
ヘアバンドＢと、該ヘアバンドＢの両端に設けられたヘアピンＡからなるヘアバンド。
【請求項２】
前記ヘアピンＡの数は、単ペア又は複ペアとし、両端ヘアピンＡの形状は、ピン状、クリップ状、クシ状など、如何なる形態のものであっても良いことを特徴とする、請求項１に記載のヘアバンド。
【請求項３】
前記ヘアバンドＢの材料は、弾力性のあるゴムや布、革、レース、毛糸、樹脂、又はそれらの組み合わせであって、該ヘアバンドＢの形状は、ベルト状、頭巾状など、如何なる形状のものであっても良いことを特徴とする、請求項１又は請求項２に記載のヘアバンド。
【請求項４】
前記ヘアバンドＢにヘアアクセサリが付いたりぶら下がったり、又はヘアアクセサリが該ヘアバンドＢの一部であったりすることが出来ることを特徴とする、請求項１又は請求項２又は請求項３に記載のヘアバンド。
(57)【要約】      （修正有）【課題】ミラートレイを、ノート型パソコン等のモニターの背面に取り付け、不要な時は背面にフラットな状態で折りたたんでおき、必要な時は素早く立ち上げるノートパソコン用トレイを提供する。【解決手段】ノート型パソコン等に、１の吸盤または両面テープ等で２のベースプレートを固定し、３のピンで４のアームと接合し、５のピンで７のミラーが付いた６のミラートレイを接合する。４のアームと６のミラートレイを垂直の角度にすると、自分の顔の正面にミラーが現れ、素早く見ることが出き、背後の状況も常に観察できる。また、４のアームと６のミラートレイを水平の角度に調節し、８の支持棒を１０の受け口に挿入して固定すると少量の書類（Ａ４サイズ横置きで数十枚程度）を置く「棚」ができる。この棚に書類を乗せれば、机上の作業スペースを拡大することができる。【選択図】図３
0003155161.tif 000002
【実用新案登録請求の範囲】
【請求項１】
ノート型パソコン等のモニターの背面に脱着式（または固定式）、かつ可動式のトレイを取り付ける。トレイの表面はミラーであり、トレイをほぼ垂直の角度に調節することにより、パソコンの正面で身だしなみおよび背後の確認ができる可動式ミラー。
【請求項２】
上述の請求項１のトレイを水平の角度に調節し、固定することにより、少量のＡ４書類などを横向きに置くことができる書類トレイ。
【考案の詳細な説明】
【技術分野】
【０００１】  本考案は、ノート型パソコン等へ取り付ける特殊トレイに関するものである。
【背景技術】
【０００２】  従来、パソコンの作業をしながら多種の書類を机上に並べる状況下においては、パソコンが邪魔で、パソコン以外の場所に書類を置いていた。また、自分の身だしなみのチェックや、背後の状況確認などは、素早く行えない状況であった。
【先行技術文献】
【特許文献】
【０００３】
【特許文献１】  実開平０５−０７２２５９号  公報
【非特許文献】
【０００４】
【非特許文献１】
【考案の概要】
【考案が解決しようとする課題】
【０００５】  机上でパソコン以外の場所に複数の書類を並べようとしても、電話機やマウス、ペン立てなどがあるため、置く場所を探す手間から、仕事の生産性を落としていた。
また、急な来客の際など、素早く自分の出しなみのチェックをすることができず、背後の状況確認も、都度後ろを振り向かなければならず、非効率的であった。このふたつの課題を、棚と鏡の役割をもつミラートレイを使って解決しようとするものである。
【課題を解決するための手段】
【０００６】  本考案は、上述したミラートレイを、ノート型パソコン等のモニターの背面に取り付け、不要な時は背面にフラットな状態で折りたたんでおき、必要な時は素早く立ち上げる。
【考案の効果】
【０００７】  上述の様に、トレイとして使用することにより、机上に新たな空間を生み出すことが可能となり、机上スペースをより広く活用できる。また、ミラーとして使用する時にもスピーディーに用が足せる。
【図面の簡単な説明】
【０００８】
【図１】本考案のミラートレイの正面図である。
【図２】本考案のミラートレイの背面図である。
【図３】本考案のミラートレイの断面図である。（折りたたんだ状態）
【図４】本考案のミラートレイの断面図である。（ミラーとして使用する角度）
【図５】本考案のミラートレイの断面図である。（トレイとして使用する角度）
【考案を実施するための形態】
【０００９】  パソコンに固定するためのベースプレートは１０ｃｍ×１０ｃｍ程度のプラスチック製のものとする。このプレートの四方、四カ所に各々ビニール製の吸盤を取り付てノート型パソコン等の背面に圧着固定するか、両面テープ等で固定する。
ミラートレイを支持するアームはプラスチック製で、金属製のピンで上記のベースプレートと接合する。
アームの中段、左右にはミラートレイを取り付けるためのビス穴が各々１カ所空いている。ミラートレイ部分は、ベースプレートよりもひとまわり小さいプラスチック製のプレートの片面に薄い鏡を貼り付ける。このミラートレイの中段、左右には、アームに接合するため、アームの左右の穴に通す突起部分があり、ミラートレイは接合部を軸に、３６０度回転する。尚、この接合部はトレイとして使用する際の強度確保のため、固めに設定する。
また、ミラートレイ背面の中央部に窪みを設け、ここにトレイとしての使用時に支持棒先端を挿入する。ミラートレイの支持棒は、ベースプレートの裏面にピンにて据え付け、ピンを軸に１８０度可動する。
【実施例】
【００１０】以下、添付図面（図３）に従って使用状態を説明する。
１はベースプレートをパソコンに固定するためのビニール製の吸盤である。
２は吸盤を固定するためのプラスチック製のベースプレートである。
３はベースプレートとアームを接合する金属製のピンである。
４はミラートレイを支えるプラスチック製のアームである。
５はミラートレイとアームを接合するプラスチック製のピンである。
６はプラスチック製のミラートレイである。
７はミラートレイの表面に貼り付けた鏡である。
８はトレイとして使う時に使用するプラスチック製のミラートレイ支持棒である。
９はミラートレイ支持棒の金属製のピンである。
１０はミラートレイ支持棒の受け口である。【００１１】  本考案の一実施例は上述の如き構成からなるものである。不使用時はパソコン画面の背面に折りたたんでおき、ミラートレイを回転させてミラー面を下にして防塵する。
必要に応じてアームを立ち上げ、角度を調節してトレイ、またはミラーとして使用する。
【符号の説明】
【００１２】  １  吸盤
２  ベースプレート
３  ベースプレートとアームのピン
４  ミラートレイのアーム
５  ミラートレイとアームのピン
６  ミラートレイ
７  ミラー
８  ミラートレイ支持棒
９  ミラートレイ支持棒のピン
１０  ミラートレイ支持棒の受け口
【図１】
0003155161.tif 000003
【図２】
0003155161.tif 000004
【図３】
0003155161.tif 000005
【図４】
0003155161.tif 000006
【図５】
0003155161.tif 000007
【手続補正書】
【提出日】平成21年7月31日(2009.7.31)
【手続補正１】
【補正対象書類名】実用新案登録請求の範囲
【補正対象項目名】請求項２
【補正方法】変更
【補正の内容】
【請求項２】
ノート型パソコン等のモニターの背面に取り付け、角度を調節して書類等の置場として使用する、可動式トレイ。
【手続補正２】
【補正対象書類名】実用新案登録請求の範囲
【補正対象項目名】請求項１
【補正方法】変更
【補正の内容】
【請求項１】
ノート型パソコン等のモニターの背面に取り付け、手前に立ち上げて鏡として使用する、可動式トレイ。
(57)【要約】      （修正有）【課題】足袋の簡易的な構造でありながら、裏地の特に爪先部の形状を改良することで疲れにくい足袋を提供する。【解決手段】足袋の裏地の爪先部を５本指靴下のように、それぞれの指を単独で包めるような形状に構成したことを特徴とする。本足袋を利用することで、５本指靴下と同様な効果が生まれ、足指の血液循環だけでなく、脳の血液循環も良くなり、良い姿勢で立つことができ肩こり等が緩和され、足指の高い保温力により、血液循環も良くなり冷え性も改善される等の効果が表れる。【選択図】図１
0003155103.tif 000002
【実用新案登録請求の範囲】
【請求項１】
足袋の裏地を、爪先部とかかと部に分け、爪先側は５本指それぞれを包み込むよう５本指靴下のように形成し、指の付け根部からかかとに向かって略５ｃｍの長さまで筒状に形成し、かかと側はかかと部から爪先側に向けて平行に且つ筒状に形成し、かかと部から足首部に向けて垂直に且つ筒状に形成することで略Ｌ型の形状とし、つま先部の裏地と接合し、表地と縫い合わせたことを特徴とする足袋。
【請求項２】
足袋の裏地を、爪先の５本指それぞれを包み込むよう５本指靴下のように形成し、指の付け根付近からかかとまでを筒状に形成し、かかと部から足首部に向けて垂直に筒状に形成して、足の挿入口において、表地と接合することを特徴とする足袋。
【考案の詳細な説明】
【技術分野】
【０００１】
本考案は、和装用の足袋の改良に関する。
【背景技術】
【０００２】
従来より、足袋は表地に木綿や絹等を用い、裏地に木綿や化学繊維を用いて縫い合わせ足袋の形状に形成している。つま先部は親指とそれ以外の指を収めるように２つに分割されているのが伝統的な形状である。
【０００３】
和服を被着した場合には、足には足袋を履くのが和装の分野では常識であり、近年、和服を被着して業にあたる場合は、立ったまま業務を行うことが多く、場合によっては終日立ち続けることもめずらしくはない。この場合、足に負担がかかり疲労を伴うことも多く、疲れにくい足袋が要望されている。一方で、５本指靴下は、足指が動くことにより足指の血液循環だけでなく、脳の血液循環まで良くなる可能性があり、床をしっかりと掴めるため、良い姿勢で立つことができ肩こり等が緩和される、５本指を一本一本包んでいるため、高い保温力があり、さらに指がバラバラになっているので動きも良くなり、血液循環も良くなり冷え性も改善される等の効果が知られている。特開２００１−３４８７０３号において、足袋の底部に弾性を有する中敷を封入する技術が記載されているが、本考案の裏地の形状を改良したものとは技術的に相違する。
【先行技術文献】
【特許文献】
【０００４】
【特許文献１】特開２００１−３４８７０３号（２頁、図１）
【考案の概要】
【考案が解決しようとする課題】
【０００５】
解決しようとする課題は、足袋の簡易的な構造でありながら、裏地の特に爪先部の形状を改良することで疲れにくい足袋を提供することにある。
【課題を解決するための手段】
【０００６】
本考案は、足袋の裏地の爪先部を５本指靴下のように、それぞれの指を単独で包めるような形状に構成したことを特徴とする。
【考案の効果】
【０００７】
本考案の足袋を利用することで、５本指靴下と同様な効果が生まれ、足指の血液循環だけでなく、脳の血液循環も良くなり、良い姿勢で立つことができ肩こり等が緩和され、足指の高い保温力により、血液循環も良くなり冷え性も改善される等の効果が表れる。
【０００８】
５本指靴下の上に足袋を履くことで同様の効果が表れるが、本考案の足袋の場合、裏地が既に５本指の形状に構成してあるため、この足袋ひとつで、足袋と５本指靴下の２つを兼ねることが可能となる。
【図面の簡単な説明】
【０００９】
【図１】左足側の足袋の一例の底面図
【図２】本考案の足袋の一例の断面図
【考案を実施するための形態】
【００１０】
本考案の詳細について、図面を引用して説明する。
【実施例１】
【００１１】
足袋の表地は従来同様に、爪先部は親指とそれ以外の指が収まるように、２つに分割した形状に構成し、かかと部には留め金を取りつける。裏地は、爪先部とかかと部を分けて構成し、爪先側は５本指それぞれを包み込むよう５本指靴下のように形成し、指の付け根部からかかとに向かって略５ｃｍの長さまで筒状に形成する。爪先側の素材は木綿や絹等が望ましく、靴下のように伸縮性のある編みこみで作製する。
【００１２】
かかと部の裏地は、かかと部から爪先側に向けて平行に且つ筒状に形成し、かかと部から足首部に向けて垂直に且つ筒状に形成することで略Ｌ型の形状とし、つま先部の裏地と接合する。接合方法は、糸等で縫い合わせることが望ましいが、接着剤で接合する又は圧着等これに限定するものではない。かかと部の裏地は、足袋の底面部と足の挿入口において、表地と縫い合わせ、足袋として表地と裏地を一体化する。かかと側の素材は木綿や絹等の織物が望ましい。前述の足袋を左右１組作製して完成となる。図１は左足側の足袋の一例の底面図、図２は本考案の足袋の一例の断面図である。
【実施例２】
【００１３】
実施例１の裏地において、爪先からかかと及び足首部まで一体として構成する。
爪先の５本指それぞれを包み込むよう５本指靴下のように形成し、指の付け根部からかかと部までを筒状に形成し、かかと部から足首部に向けて垂直に筒状に形成して、足の挿入口において、表地と接合する。接合方法は、糸等で縫い合わせることが望ましい。この裏地の素材は木綿や絹等が望ましく、靴下のように伸縮性のある編みこみで作製する。ちょうど、５本指靴下を足袋の裏地として構成するような形状となる。
【産業上の利用可能性】
【００１４】
この考案の足袋は工業生産が可能であり、供給者による製造、販売が可能である。
【符号の説明】
【００１５】
１  足袋表地
２  裏地かかと部
３  裏地爪先部
４  接合部
【図１】
0003155103.tif 000003
【図２】
0003155103.tif 000004
(57)【要約】      （修正有）【課題】電気を使用せずに、市販のガスレンジ等においても簡単に使用出来、各調理内容や調理具材等に合わせて、調理温度や蒸気量を任意に変えて、過熱蒸気で調理を行う、簡易型過熱蒸気調理器を提供する。【解決手段】本簡易型過熱蒸気調理器は、ガスレンジの火力を利用し、ガスレンジの五徳上に設置した寸胴１の内部に発生させた蒸気を加熱して、過熱蒸気として調理具材を調理する調理器である。調理器具の素材は、調理時に高温となる事や調理後の洗浄を考慮してステンレス製とし、温度調節はガスレンジの調節ツマミで、又、蒸気発生量の調節は、給水バルブ７にて行う。又、給水装置にも安全性が考慮されている。【選択図】図２
0003155171.tif 000002
【実用新案登録請求の範囲】
【請求項１】
電気を使用せず、家庭の台所等の市販のガスレンジにおいても簡単に使用出来、各調理内容や調理具材等に合わせて、調理温度や蒸気発生量を変えられ、耐熱ガラス２を通して寸胴１の内部の調理具材の調理状態を目視出来、温度計測用穴８から寸胴１の内部温度を計測出来る事を特徴とする、簡易型過熱蒸気調理器。
【請求項２】
蒸気発生を行う為の給水装置は、補給水槽５が蒸発水槽４より低く設置される為、万一給水装置が故障して補給水が蒸発量以上に補給されても、補給水槽５が満水になってオーバーブローする為、蒸発水槽４からはオーバーブローせず、ガスレンジの火を消す事が無い安全策が講じられている事を特徴とする、請求項１に記載の簡易型過熱蒸気調理器。
【請求項３】
給水タンク６から補給水槽５への給水方法は、機械的方式は故障等が発生し易い為、故障の発生し難い極力単純な方式として、トリチェリーの原理を利用した重力式給水方式を特徴とする、請求項１又は２に記載の簡易型過熱蒸気調理器。
【考案の詳細な説明】
【技術分野】
【０００１】本考案は、市販のガスレンジ等にて簡単に使用が可能で、電気を使用せず  又、調理内容や調理具材等に合わせて、調理温度や蒸気量を任意に変えて具材を調理する、簡易型過熱蒸気調理器に関するものである。
【背景技術】
【０００２】在来の調理器具で、電気を使わずに、市販のガスレンジ等にて使用が可能な、過熱蒸気を使用して簡易に調理具材を調理出来る調理器具が無かった。最近、過熱蒸気を利用した電子レンジが市販されているが、調理内容や調理具材等に合わせて自由に調理温度や蒸気発生量を調節出来ない。よって、家庭の台所等の市販のガスレンジにおいても簡単に使用出来、各調理内容や調理具材等に合わせて調理温度や蒸気発生量を変えられる、簡易型過熱蒸気調理器が望まれた。
【先行技術文献】
【特許文献】
【０００３】
【特許文献１】登録実用新案第３１４８４０６号
【特許文献２】登録実用新案第３１３６５９６号
【特許文献３】特許公開２００６−０８４０８２号
【考案の概要】
【考案が解決しようとする課題】
【０００４】本考案の目的は、電気を使用せず、家庭の台所等の市販のガスレンジにおいても簡単に使用出来、各調理内容や調理具材等に合わせて調理温度や蒸気発生量を変えられる、過熱蒸気で調理を行う、簡易型過熱蒸気調理器を提供する事にある。
【課題を解決するための手段】
【０００５】上記課題を解決するために、本考案の簡易型過熱蒸気調理器は、ガスレンジの火力を利用し、ガスレンジの五徳上に設置した寸胴１の内部に発生させた蒸気を加熱して、過熱蒸気として調理具材を調理する調理器である。調理器具の素材は、調理時に高温となる事や調理後の洗浄を考慮してステンレス製とし、温度調節はガスレンジの調節ツマミで  又、蒸気発生量の調節は、給水バルブ７にて行う。
【考案の効果】
【０００６】本考案の、簡易型過熱蒸気調理器は、電気を使わずに、市販のガスレンジ等にて使用が可能で、過熱蒸気を使用して簡易に調理具材を調理する事が出来、各調理内容や調理具材等に合わせて調理温度や蒸気発生量を変え事ができる。又、給水装置にも安全性が考慮されている。
【図面の簡単な説明】
【０００７】
【図１】  図１は、本考案の簡易型過熱蒸気調理器の、個々の部材を例示する概略図である。
【図２】  図２は、本考案の簡易型過熱蒸気調理器の、個々の部材を設置した状態の概略図である。
【考案を実施するための形態】
【０００８】（１）図１は、本考案の簡易型過熱蒸気調理器の個々の部材を、図２は、個々の部材を設置した状態を、例示するものである。
（２）使用方法は、給水タンク６から供給された水が、補給水槽５を経由し、ガスレンジの五徳の上に設置された蒸発水槽４に流れ込み、加熱される事により、蒸気を発生させる。
（３）蒸発水槽４の上に、調理具材を乗せた調理架台３を、さらにその上に寸胴１を覆いかぶせ、寸胴１の内部の蒸気を加熱して、過熱蒸気調理を行う。
（４）各調理内容や調理具材に合わせて、調理温度や蒸気発生量を変える事が可能となる様に、温度計測用穴８に温度計を挿入して寸胴内部温度を計測し、温度調節はガスレンジの調節ツマミで  又、蒸気発生量の調節は給水バルブ７で行う。
（５）調理中の具材の状態は、寸胴１に設置された耐熱ガラス２により、目視確認が可能である。
（６）補給水槽５は、蒸発水槽４より低く設置する事により、万一給水装置が故障して補給水が蒸発量以上に補給されても、補給水槽５が満水になってオーバーブローする為、蒸発水槽４からはオーバーブローせず、ガスレンジの火を消す事が無い安全策が講じられている。
（７）給水タンク６から、補給水槽５への給水方法は、機械的方式は故障等が発生し易い為、故障の発生し難い極力単純な方式として、トリチェリーの原理を利用した重力式給水方式を採用している。
【符号の説明】
【０００９】  １  …  寸胴
２  …  耐熱ガラス
３  …  調理架台
４  …  蒸発水槽
５  …  補給水槽
６  …  給水タンク
７  …  給水バルブ
８  …  温度計測用穴
【図１】
0003155171.tif 000003
【図２】
0003155171.tif 000004
【手続補正書】
【提出日】平成21年8月14日(2009.8.14)
【手続補正１】
【補正対象書類名】実用新案登録請求の範囲
【補正対象項目名】全文
【補正方法】変更
【補正の内容】
【実用新案登録請求の範囲】
【請求項１】
鍋を逆さまにした様な、上板１面と側板４面の５面で構成された寸胴１の内部に発生させた蒸気を加熱して、過熱蒸気として調理具材を調理する調理器で、電気を使用せず、家庭の台所等のガスレンジの五徳上に設置して、簡単に使用出来、各調理内容や調理具材等に合わせて、調理温度はガスレンジの調節ツマミで火力を調節し、又、給水バルブ７にて給水量を調節して蒸気発生量を変えられ、耐熱ガラス２を通して寸胴１の内部の調理具材の調理状態を目視出来、温度計測用穴８から寸胴１の内部温度を計測出来る事を特徴とする、簡易型過熱蒸気調理器。
【請求項２】
蒸気発生を行う為の給水装置は、補給水槽５が蒸発水槽４より低く設置される為、万一給水装置が故障して補給水が蒸発量以上に補給されても、補給水槽５が満水になってオーバーブローする為、蒸発水槽４からはオーバーブローせず、ガスレンジの火を消す事が無い安全策が講じられている事を特徴とする、請求項１に記載の簡易型過熱蒸気調理器。
(57)【要約】      （修正有）【課題】安全性及び耐久性を向上した原油脱硫処理装置を提供する。【解決手段】原油を蒸留前に脱硫する。【選択図】図−１
0003155178.tif 000002
【実用新案登録請求の範囲】
【請求項１】
脱硫処理を原油レベルで蒸留塔へ入る前にやってしまうという処理方法で脱硫に適した温度、圧力で水素を添加させ硫化水素という形で除去するシステムで原油脱硫処理装置となる。
【考案の詳細な説明】
【技術分野】
【０００１】本発明は、蒸留塔以前に原油レベルで水添脱硫処理を一気にやってしまうという事で、下流プラントの腐食等を減少させ半製品（ナフサ、中間留分、重質留分）の脱硫処理を個別にするという行程も省く事が出来る。
【背景技術】
【０００２】従来の方法では脱硫装置は、蒸留塔より下流プラントにあるが為に装置の腐食（硫黄による）耐久性に問題があり安全性という点においても問題が多かった。（硫化水素の発生等）
【考案の概要】
【考案が解決しようとする課題】〔安全性の向上、装置の耐久性、水添脱硫装置１本化によるプラントの省スペース、省コスト、省エネルギー、人員の削減。〕
【課題を解決するための手段】〔蒸留塔へ入る前に水添脱硫の装置を設定する。〕
図−１参照
【考案の効果】〔水素添加脱硫は、蒸留塔より分留された半製品ナフサ、中間留分、重質留分等様々ではあるがナフサにしても低級炭化水素の混合物である又中間留分重質留分にしても炭化水素の混合物であるこれらを（ナフサ、中間留分、重質留分）別々に脱硫しているというのが現状である、原油にしても混合物という理論から原油一本という形で温度的な圧力的な見解から脱硫出来るという考案であるこれにより脱硫装置は１プラントという形になり省プラント化も実現する又蒸留塔の前処理という形で下流プラントの腐食、公害、安全性という方向も著しく向上する。〕
【図面の簡単な説明】〔水素添加脱硫装置の簡略図と蒸留塔の平面図である〕【図−１】水素添加脱硫装置の簡略図と蒸留塔の平面図である。
【考案を実施するための形態】
〔蒸留塔へ入る前に原油脱硫処理装置を設置する〕
【産業上の利用可能性】〔安全性の向上（硫化水素等のガス、装置の耐久性）プラントの低コスト化で利用可能は非常に高い〕
【図−１】
0003155178.tif 000003
【手続補正書】
【提出日】平成21年8月14日(2009.8.14)
【手続補正１】
【補正対象書類名】実用新案登録請求の範囲
【補正対象項目名】全文
【補正方法】変更
【補正の内容】
【実用新案登録請求の範囲】
【請求項１】
原油を蒸留前に脱硫してしまうという特徴を持つ原油脱硫処理装置。